Podtech/llm-jp-corpus-v4-ja_patent huggingface dataset:
(57)【要約】【課題】モデム等の利用を必要とせずに、現地以外の場所においても、現地から電話回線を用いて、簡単にエラーの詳細を調査できる方法を提供する。【解決手段】制御機器１の状態を外部に通知する自己診断結果の通知方法において、前記制御機器１の自己診断結果に基づいてビープ音を発生させ（Ｓ４）、前記ビープ音は、電話３などの通信回線４を介して伝送され（Ｓ５）、前記伝送されたビープ音から機器の状態を特定する（Ｓ６）ことを特徴とする自己診断結果の通知方法。【選択図】図１
2004078560.tif 000002
【特許請求の範囲】
【請求項１】
制御機器の状態を外部に通知する自己診断結果の通知方法において、
前記制御機器の自己診断結果に基づいてビープ音を発生させ、
前記ビープ音は、電話などの通信回線を介して伝送され、
前記伝送されたビープ音から機器の状態を特定することを特徴とする自己診断結果の通知方法。
【請求項２】
前記機器の状態は、ハードウェア部分やソフトウェア部分など複数以上の階層で分割され、
前記ビープ音は、前記階層毎に周波数帯域が割り当てられることを特徴とする請求項１記載の自己診断結果の通知方法。
【発明の詳細な説明】
【０００１】
【発明の属する技術分野】
本発明は、サーボモータを駆動するモーションコントローラや外部機器を制御するＰＬＣなどの制御機器の自己診断結果の通知方法に関する。
【０００２】
【従来の技術】
従来の技術によれば、機器のエラー出力にＬＥＤを用いていた。そのため、エラーの情報を得るためには、現地に赴き、ＬＥＤの示すエラー出力を実際に目視しなければならなかった。また、ＬＥＤ出力では、エラーの詳細データを得ることはできなかった。
また、特開２０００−１２２７０７号では、機能を確認するために音声出力手段を備えたコントローラが開示されている。図４を参照して説明する。図４の現場操作盤１０などからのテスト入力信号で実行するＰＬＣ１の出力信号を、携帯無線端末子機２〜携帯無線端末子機５の一部を無線化した通信経路を経由して、現場Ｂのロジックモニタ端末６で受信し、状態変化した出力信号を音声変換し、検査員９の携帯する無線端末７から音声報知する。検査員はリミットスイッチ８０１ａの短絡による手動のテスト入力を行い、そのプログラム応答を音声報知で確認でき、現場でのワンマン試験を実行する。
【０００３】
【発明が解決しようとする課題】
ところが、従来の技術によれば、機器のエラー出力にＬＥＤを用いていたので、エラーの情報を得るためには、現地に赴き、ＬＥＤの示すエラー出力を実際に目視しなければならない、また、ＬＥＤ出力では、エラーの詳細データを得ることはできない、という問題があった。また、特開２０００−１２２７０７号では、音声を予め登録しておく必要があり、この音声の文章データを予め記憶させておくという作業が必要であった。
そこで、本発明は、モデム等の利用を必要とせずに、現地以外の場所においても、現地から電話回線を用いて、エラー発生時に出力されるビープ音を取り込み、取り込んだ音データを復元することで簡単にエラーの詳細を調査できる方法を提供するものである。
【０００４】
【課題を解決するための手段】
本発明の請求項１記載の自己診断結果の通知方法は、制御機器の状態を外部に通知する自己診断結果の通知方法において、前記制御機器の自己診断結果に基づいてビープ音を発生させ、前記ビープ音は、電話などの通信回線を介して伝送され、前記伝送されたビープ音から機器の状態を特定することを特徴とするものである。
本発明の請求項２記載の自己診断結果の通知方法は、前記機器の状態は、ハードウェア部分やソフトウェア部分など複数以上の階層で分割され、前記ビープ音は、前記階層毎に周波数帯域が割り当てられることを特徴とするものである。
【０００５】
【発明の実施の形態】
以下、本発明の実施例を図に基づいて説明する。
図１は本発明によるフローチャートである。Ｓ１は、自己診断の開始である。通常、外部からの指令、または制御機器内のＣＰＵの空き時間（バックグランド）状態で実行される。Ｓ２では、エラー箇所を検出する。エラーがない場合には、特定の周波数のビープ音を発生させてもよいし、終了のビープ音を発生させてもよい。Ｓ３では、エラー箇所に対応したビープ音をロードする。Ｓ４では、このロードされた周波数でビープ音を発生させる。
Ｓ５では、この発生されたビープ音を通信回線を通して伝送する。Ｓ６では、伝送されたビープ音を解析器にて周波数解析することで、エラー箇所を特定することができる。
【０００６】
図２は、本発明の構成図である。モーションコントローラ１からエラーの詳細データをからビープ音に変換される。ビープ音が発生器２から出力される。ビープ音が音データとして電話３を通じて電話回線４を介して送られる。現地以外の場所で、送られた音データを解析器５にて復元してエラーの詳細データを調査する。
また、ビープ音の階層構造によって、どの部分のどのようなアラームであるかを特定するデータ構造を図３に示す。
図３は、大分類、中分類、小分類にエラーを分類している。大分類は、１００Ｈｚ毎、中分類は１０Ｈｚ毎、小分類は１Ｈｚ毎となっている。ここで、例えば、ハードウェアの電源系のエラーである素子Ａの故障となった場合には、大分類では１００Ｈｚ帯域、中分類では１０Ｈｚ帯域、小分類では１Ｈｚとなっているため、各分類での値の総和をとる。つまり、素子Ａの故障の場合には、１１１Ｈｚとなる。
このビープ音を解析器５に入力して、周波数解析を行う。周波数解析により振幅最大となる周波数を特定することにより、エラー情報を遠隔地にて確認することができる。
【０００７】
【発明の効果】
以上述べたように、本発明によれば、モデム等の利用を必要とせずに、現地以外の場所においても、現地から電話等を用いて、ビープ音を取り込み、取り込んだ音データを復元することで簡単にエラーの詳細を調査できる、という効果がある。
【図面の簡単な説明】
【図１】本発明のフローチャート
【図２】本発明の機器構成図
【図３】本発明のエラー分類による周波数対応表
【図４】従来技術の図
【符号の説明】
１：モーションコントローラ
２：音発生器
３：電話
４：通信回線
５：解析器
【図１】
2004078560.tif 000003
【図２】
2004078560.tif 000004
【図３】
2004078560.tif 000005
【図４】
2004078560.tif 000006
(57)【要約】　　　（修正有）【課題】肢体不自由者がタッチスクリーンを無理なく使用できるように角度や位置が自由に変更できる。タッチスクリーンを様々な環境で使用するために、アームを支持台、ベッド、車椅子、台車等に取り付けることができる。【解決手段】肢体不自由者がタッチスクリーンを無理なく使用できるよう角度や位置が自由に変更できるコンパクトなアームである。様々な状況での使用を考え、アームをベッド、車椅子、台車等に取り付けるための装置を備えている。【選択図】図６
2004078870.tif 000002
【特許請求の範囲】
【請求項１】
コミュニケーションに障害を持つ肢体不自由者が、どのような姿勢でもタッチスクリーンが利用できるように画面の位置や角度を簡単に変更できるアーム
【請求項２】
【請求項１】
のアームを取り付ける支持台、台車及びアームを車椅子、ベッド等に固定する装置
【請求項３】
スクリーンをどのような位置や角度にも変更できるアーム
【発明の詳細な説明】
【０００１】
【発明の属する技術分野】
この発明はタッチスクリーンを肢体不自由者が無理なく使用できるようにスクリーンを使用しやすい角度や位置に変更ができるアーム
【０００２】
【従来の技術】
従来のスクリーンのアームは角度や位置は限定されおり、装置の規模も大きく重量もあり、汎用性に欠けている。
【０００３】
【発明が解決しようとする課題】
タッチスクリーンを肢体不自由者が無理なく使用できるように、角度や位置が自由に変更できる。タッチスクリーンを様々な状況で使用するために、アームをベッド、車椅子、台車等に取り付けすることができる。
【０００４】
【課題を解決する手段】
本アームの構成は
（イ）鋼球を２枚の鉄帯の鋼球受け穴に填め込んで挟み、ボルトで固定し鉄帯を鉄パイプに溶接する。
（ロ）鋼球に、タッチスクリーンを接続するための鉄板を溶接する。
（ハ）鋼球に固定した鉄板にタッチスクリーンを接続する。
（二）タッチスクリーンを様々な状況で使用するために、アームをベッド、車椅子、台車等に取り付ける装置を備えている。
以上のようになっている。
【０００５】
【発明の実施の形態】
次に本発明の実施の形態を述べると、タッチスクリーンを取り付けたアームはどのような角度や位置にも自由に変更でき、また支柱のスライド調節を締めるだけでタッチしてもスクリーンは静止している。支柱の長さを伸縮することで高さの変更ができる。車椅子、ベッド等には専用の取り付け装置により固定できる。
【０００６】
【発明の効果】
ことばに障害を持つ肢体不自由者が無理なくタッチスクリーンを使用することができ、コミュニケーションの支援に有効な手段となる。
【図面の簡単な説明】
【図１】アームの組み立て部品の斜視図
【図２】図１を組み立てた斜視図
【図３】図２の装置にタッチスクリーンを装着するための鉄板を鋼球に溶接した斜視図
【図４】スクリーンを装着するための鉄板を付けたアームの斜視図
【図５】タッチスクリーンを付けたアームの側面図
【図６】タッチスクリーンを付けたアームの動きを示す側面図
【図７】タッチスクリーンを付けたアームを支持台、台車、ベッドに取り付けた側面図
【図８】アームをベッド、車椅子等に取り付けるための装置の斜視図
【符号の説明】
１は鋼球
２は鉄帯
３は六角穴付ボルト
４は袋ナット
５は鉄パイプ
６はスライド調節
７はボルト用穴
８は軟質プラスチック中栓
９は鋼球受け穴
１０は鉄板
１１はタッチスクリーン
１２は支持台
１３は台車
１４はベッドの柵
１５はナット
１６はボルト
【図１】
2004078870.tif 000003
【図２】
2004078870.tif 000004
【図３】
2004078870.tif 000005
【図４】
2004078870.tif 000006
【図５】
2004078870.tif 000007
【図６】
2004078870.tif 000008
【図７】
2004078870.tif 000009
【図８】
2004078870.tif 000010
(57)【要約】【課　題】国語辞書を使用することなく、文書からキーワードを抽出するコンピュータプログラムを提供する。【解決手段】２種類の削除字句テーブルを用い、文章の字句を削除しながら分解する。第１の削除字句テーブルは、キーワードになり得ない品詞が文字数の多い順に並んでいる。この字句を含んでいた場合は、その字句を文章から削除するとともに、その字句があった位置を境界として文章を２つに分割する。分割した文章に対しても、同じ処理を繰り返して文書を分割して行く。第２の削除字句テーブルは、それ自身ではキーワードになり得ない字句で構成されている。第１の削除字句テーブルで分割を終えた後の文章が、第２の削除字句テーブルと一致した場合は、その文章を削除する。こうして残った字句の文章中の出現回数を計算し、出現回数が多かった字句をキーワードとする。【選択図】　　図１
2004078869.tif 000002
【特許請求の範囲】
【請求項１】
日本語で記述された文章からキーワードを抽出するためにコンピュータを、キーワードを抽出しようとする文章を入力する手段、コンピュータプログラム内に用意した第１の削除字句テーブルで文章を分解する手段、分解した文章を第２の削除字句テーブルで不要な品詞を削除する手段、出現回数を計算しキーワードを決定する手段、決定したキーワードを出力する手段、として機能させるためのコンピュータプログラム。
【請求項２】
日本語で記述された文章からキーワードを抽出するためにコンピュータを、キーワードを抽出しようとする文章を入力する手段、コンピュータプログラム内に用意した第１の削除字句テーブルで文章を分解する手段、分解した文章を第２の削除字句テーブルで不要な品詞を削除する手段、出現回数を計算しキーワードを決定する手段、決定したキーワードを出力する手段、として機能させるためのコンピュータプログラムを記録したコンピュータ読み取り可能な記録媒体。
【発明の詳細な説明】
【０００１】
【発明の属する技術分野】
本発明は、日本語で記述された文章からキーワードを抽出するコンピュータプログラム（ダウンロード可能なソフトウエア）に関する。
【０００２】
【従来の技術】
従来のキーワードの抽出においては、コンピュータの記録媒体に格納されている国語辞典と文章を構成する字句とを比較することによって行っている。
【０００３】
【発明が解決しようとする課題】
従来のキーワードの抽出にあっては、キーワードの候補となり得る字句を格納した国語辞典を用意しなければならなかった。そのため、国語辞典を格納するための記録容量が必要となる。なた、国語辞典を更新しなければ新しい用語に対応できないという問題点があった。
【０００４】
【発明の目的】
本発明は、国語辞典を使わずにキーワードの抽出を行うコンピュータプログラムを提供することにより、キーワードの抽出に使われる記憶容量を削減することを目的としており、さらに国語辞典の更新をしなくても新しい用語に対応することを目的としている。
【０００５】
【課題を解決するための手段】
上記目的を達成するために、本発明のコンピュータプログラムにおいては、２種類の削除字句テーブルを用意する。２種類の削除字句テーブルには所定の字句が格納されている。第１の削除字句テーブルの字句をデリミタとして、文章を分解する。こうして分解した文章が、第２の削除字句テーブルの字句と一致していたら、さらに削除する。そして、残された字句をキーワードとして決定するものである。
【０００６】
上記の日本語で記述された文章を分解する第１の削除字句テーブルは、キーワードにはなり得ない句読点、形容動詞・連体詞・副詞・接続詞・感動詞・助動詞・助詞から構成される。テーブル上では、文字数の多い順に並べられており、検索はその順位に行われる。また、句点とセットにした字句、読点とセットにした字句をテーブルに用意することで文章の分解効率を上げている。
【０００７】
第２の削除字句テーブルは、それ自身ではキーワードになり得ない代名詞、空白文字、特殊文字、その他で構成される。文章を分解して残った字句がこのテーブルの字句と一致した場合、これを削除してキーワードから除外する。
【０００８】
【発明の実施の形態】
以下、本発明の実施形態を図１及至図３に基づいて説明する。
【０００９】
図１はコンピュータプログラムにより実行される処理のフローである。まず、キーボードなどの入力装置からキーワードを抽出しようとする文章が入力される。ここで、１件の文章は１文で構成されている場合もあるし、１件の文書が複数の文で構成されている場合もある。通常は、複数件の文章が入力される。
【００１０】
図２は第１の削除字句テーブルを示す図である。第１の削除字句テーブルは、キーワードにはなり得ない句読点、形容動詞・連体詞・副詞・接続詞・感動詞・助動詞・助詞から構成されており、テーブル上では、文字数の多い順に並べられている。コンピュータプログラムが文章と第１の削除字句テーブルとのマッティングを行い、文章中に削除字句テーブルの字句が存在すれば、文章から一致した字句を削除して、その字句の位置を境界として文章を分割する。さらに、分割した文章のそれぞれについて、同様に第１の削除字句テーブルとのマッティングを行い、文章中に削除字句テーブルの字句が存在すれば、文章から一致した字句を削除して、さらにその字句の位置を境界として文章を２つに分ける。これを、分解したすべての文章について、それ以上の分解ができなくなるまで繰り返して行う。
【００１１】
図３は第２の削除字句テーブルを示す図である。第２の削除字句テーブルは、それ自身ではキーワードになり得ない代名詞、空白文字、特殊文字、その他で構成される。分解した文章と第２の削除字句テーブルとのマッティングを行い、一致した場合は、その分解した文章を削除する。これを、分解したすべての文章について行う。
【００１２】
さらに、こうして残った字句の文章中の出現回数を算出する。出現回数の多い順にキーワードとして決定し、ディスプレイ画面などの出力装置から出力される。
【００１３】
【発明の効果】
本発明は、以上に説明したように構成されているので、以下に記載されるような効果を奏する。
【００１４】
キーワードを決定するための国語辞書を持つ必要がないため、より小さなメモリサイズでコンピュータプログラムを動作させることができる。そして、キーワードを決定するための国語辞書を持つ必要がないため、新しい用語に対して国語辞書を更新する必要がない。このような従来にない優れたキーワード抽出のコンピュータプログラムを記録したコンピュータ読み取り可能な記録媒体を提供することができる。
【図面の簡単な説明】
【図１】キーワードを抽出する処理フローである。
【図２】第１の削除字句テーブルの構造図である。
【図３】第２の削除字句テーブルの構造図である。
【図１】
2004078869.tif 000003
【図２】
2004078869.tif 000004
【図３】
2004078869.tif 000005
(57)【要約】【課題】オンラインによる新聞・雑誌等において、紐媒体の新聞・雑誌等に近いデザイン・インターフェイス等を実現すること。【解決手段】情報発信者はサーバー（１）上の、作成された新聞・雑誌等の情報（１１）を送信用データ分解選別プログラム（１２）によって、文字情報や画像情報等の記事データ（１３１）と、それらの構成に関して記述された構成情報データ（１３２）に分解する。この記事データと構成惰報データのうち、構成部品データ（６１）に合致するものは取り除いて送信し、送信データ量を減らす。閲覧者は、受信したデータをデータ復元プログラム（３２）によって復元する。その際、随時、記憶装置（６）から格納されている構成部品データ（６１）を呼び出して復元に使用する。閲覧者は閲覧プログラム（３３）で新聞・雑誌等を閲覧する。【選択図】　　図１
2004078866.tif 000002
【特許請求の範囲】
【請求項１】
新聞・雑誌等の情報を、文字・音声を含む動画・画像等の記事データと、それらを装飾・配置する情報からなる構成情報データに分離することにより、新聞・雑誌等をオンラインによって閲覧者に提供する仕組み。
【発明の詳細な説明】
【０００１】
【発明の属する技術分野】
この発明は、紙媒体によって提供されている現在の新聞・雑誌等を、内容のみでなくデザイン・レイアウト等まで含めた構成された著作物として、オンラインにより提供する仕組みに関するものである。
【０００２】
【従来の技術】
従来のオンラインでの新聞・雑誌等の情報提供は、記事や画像そのものの提供に主眼が置かれており、それらのデザイン・レイアウトに関しては、全くなされないか、記述言語ＨＴＭＬ等の外部の仕様に従う自由度の低いものであった。
【０００３】
【発明が解決しようとする課題】
紙媒体による新聞・雑誌等の場合には、記事や画像等の内容だけではなく、その構成に関するレイアウトや色彩を含むデザインが、著作物としての重要な要素の一つである。
本発明は、オンラインによる新聞・雑誌等において、紙媒体の新聞・雑誌等に近いデザイン・レイアウト・インターフェイス等を実現するためになされたものである。
【０００４】
【課題を解決するための手段】
情報発信者が発信するデータを格納・送信するサーバー（１）、データを送受信する通信回線（２）、閲覧者がデータを受信・表示するための閲覧装置（３）、閲覧装置を操作するための入力装置（４）、データを出力する出力装置（５）、データを保管する記憶装置（６）、及び作成された新聞・雑誌等の情報から送信データを作成し、受信後に復元するプログラム群（１２、１４、３１、３２、３３）。
本発明は、以上の構成よりなるオンラインによる新聞・雑誌閲覧システムである。
【０００５】
【発明の実施の形態】
以下、本発明の実施の形態について説明する。
まず情報発信者は、頻繁に使用する文字列や画像、文字書体やレイアウトパターン等の構成部品データ（６１）があれば、それらを閲覧者の閲覧装置（３）につながれた記憶装置（６）に事前に格納しておく。
次に情報発信者はサーバー（１）の中に、レイアウト・デザインされ相互に関連付けられて作成された新聞・雑誌等の情報（１１）を置く。
このデータは送信用データ分解選別プログラム（１２）によって、文字情報や画像情報等の記事データ（１３１）と、それらのレイアウト・デザイン等を含む構成に関して記述された構成情報データ（１３２）に分解される。また、記事データと構成情報データの中で、閲覧者に事前に格納されている構成部品データ（６１）と重複するものがあれば、そのデータは選別されて取り除かれ、閲覧者の持つ構成部品データを呼び出すよう命令する構成情報データとして、置き換えられる。
このようにして作成された送信用データ（１３）は圧縮プログラム（１４）によって圧縮され、電話や光ケーブル等の通信回線（２）によって送信される。
閲覧者は、パソコン等の閲覧装置（３）においてデータを受け取り、受信データ解凍プログラム（３１）によってデータを解凍し、データ復元プログラム（３２）によって受信したデータを復元する。その際、必要であればプログラムは閲覧装置につながる記憶装置（６）から、事前に格納されていた構成部品データ（６１）を呼び出して復元に使用する。
閲覧者は入力装置（４）で閲覧プログラム（３３）を操作し、新聞・雑誌等のデータを閲覧するとともに、必要であれば出力装置（５）によりデータを出力する。
【０００６】
【発明の効果】
オンラインの新聞・雑誌等で記事や画像の自由なレイアウトやデザインが実現できない理由は、個々のページで使用されるレイアウト・デザイン・書体・色彩等を記述するデータの量が膨大になるため、通信に適さないからであった。
本発明では、記事内容のデータと構成情報のデータを分離することによって、送信して更新するべきデータと、日々の送信の必要がなく繰り返して使用できるデータとを分離し、送信するデータ量を減少させることで、この問題を解決している。
これによりオンラインの新聞・雑誌等によって紙媒体のそれに近いインターフェイスが実現できるのみならず、それ以上の利便性を持った新しいメディアを作り上げることができる。
【図面の簡単な説明】
【図１】本発明の構成図である。
【符号の説明】
１　サーバー
１１　作成された新聞・雑誌等の情報
１２　送信用データ分解選別プログラム
１３　送信用データ
１３１　記事データ
１３２　構成情報データ
１４　圧縮プログラム
２　通信回線
３　閲覧装置
３１　解凍プログラム
３２　データ復元プログラム
３３　閲覧プログラム
３４　復元された新聞・雑誌等の情報
４　入力装置
５　出力装置
６　記憶装置
６１　構成部品データ
【図１】
2004078866.tif 000003
(57)【要約】【課題】小型通信機器の文字入力をテンキーボタン（１）とジョグダイヤルボタン（２）を併用することにより簡単に、素早く行う方法を提供する。【解決手段】テンキーボタン（１）で入力したい文字を指定し、併せてジョグダイヤルボタン（２）でその文字を変換することを特徴とする。【選択図】　　図１
2004078861.tif 000002
【特許請求の範囲】
【請求項１】
テンキーボタン（１）とジョグダイヤルボタン（２）を同時に使用することを特徴とする、ひらがなの変換方法。
【発明の詳細な説明】
【０００１】
【発明の属する技術分野】
この発明は、携帯用小型コンピューター及び小型通信機器等の文字入力の際に、（１）のテンキーボタンと（２）のジョグダイヤルボタンを併用することにより、ひらがなを速やかに変換し入力する方法に関するものである。
【０００２】
【従来の技術】
従来の小型通信機器・携帯電話等の文字入力は、（１）のテンキーボタンから入力したい文字を選択し、そのボタンを１回から５回押すことで、目的とする文字に変換していた。
【０００３】
【発明が解決しようとする課題】
これは次のような欠点があった。
小型通信機器、携帯電話等は、文字を入力する際に、１字入力するのに複数回ものテンキーボタン（１）を押さなければならない。またボタンを押す回数を間違えた場合、その文字はもう一度、はじめから押し直すことになる。これは、長い文章を入力するのに、手間と時間がかかる。
本発明は以上の欠点を解決し、小型通信機器等の文字入力を快適に行うものである。
【０００４】
【課題を解決するための手段】
（１）のテンキーボタンには従来どおり「０，１〜９」の番号および、五十音図の第一段目、すなわち「あ、か、さ、た、な、は、ま、や、ら、わ」が振り当てられている。
入力したい文字のあるテンキーボタン（１）を押しながら、ジョグダイヤルボタン（２）を回すことで、目的の文字までひらがなを変換する。目的の文字まで変換できたら、テンキーボタンを離すことによりその文字が入力される。以上で文字が１字入力できる文字の入力・変換方法。
【０００５】
【発明の実施の形態】
以下本発明の実施の形態を説明する。
イ．（１）のテンキーボタンには、左上から１から９の番号および「＊，０，＃」が振り当てられている。
ロ．（１）のテンキーボタンの「１」には、ひらがなの「あ」、「２」には「か」、「３」には「さ」というふうに、１から９までの番号には五十音図の第一段目がそれぞれ振り当てられている。また「０」には「わ」が振り当てられている。
ハ．（２）のジョグダイヤルは左右どちらにも回すことができる。
ニ．（３）のディスプレイに選択中の文字、および入力された文字、文章が表示される。
本発明は以上の構成よりなっている。
本発明は以下の作業により、ひらがなを円滑に変換する方法である。
作業１．入力したい文字のテンキーボタン（１）を選ぶ。
作業２．そのテンキーボタン（１）を押すと、入力したい文字がある五十音図の行が指定される。この時ディスプレイ（３）には五十音図の第一段目が表示される。
作業３．そのボタンを押しながら、ジョグダイヤル（２）を回し、その動きに併せて指定した行の平仮名が、「あ→い→う→え→お」または逆廻しで「お→え→う→い→あ」のように順次変わっていく。
作業４．目的とする文字まで変換し、テンキーボタン（１）を離すとその文字が入力される。
【０００６】
【発明の効果】
すべての文字を一回の操作で入力できるため、従来の文字の半分以下の時間で入力できる。またジョグダイヤル（２）は、回すだけで変換できるため、間違いも少なくなる。
操作も簡単で、手の不自由な人以外なら、誰にでも簡単に覚えられるため、今以上の小型通信機器の普及が考えられる。
【図面の簡単な説明】
【図１】本発明の斜視図
【図２】本発明の使用状態を示す斜視図
【符号の説明】
１　テンキーボタン
２　ジョグダイヤル
３　ディスプレイ
【図１】
2004078861.tif 000003
【図２】
2004078861.tif 000004
(57)【要約】【課題】複数基板で構成されたサーボドライブ装置であってもサーボドライブ装置の機種の数だけソフトウェアやパラメータを用意・管理せずに、また基板を代えて異なる機能を付加させる度にソフトウェアやパラメータをダウンロードしなくて済むようにする。【解決手段】各基板毎に搭載された記憶装置に各基板固有のソフトウェア、またはパラメータを記憶させ、基板を組み合わせるだけでサーボドライブ装置のソフトウェア・システムを構成させる。【選択図】　　図１
2004078806.tif 000002
【特許請求の範囲】
【請求項１】
複数基板で構成され、各基板に搭載した記憶装置に、各基板固有の情報を記憶させ、各基板を組み合わせるだけでソフトウェア・システムが構成されるサーボドライブ装置。
【請求項２】
複数基板で構成され、各基板に搭載した記憶装置に、その基板固有の制御アルゴリズム、またはパラメータを記憶させ、基板を組み合わせるだけでソフトウェア・システムが構成されるサーボドライブ装置。
【請求項３】
制御回路基板とドライブ回路基板で構成され、ドライブ回路基板に搭載された記憶装置にドライブ回路固有の制御アルゴリズム、またはパラメータを記憶させ、基板を組み合わせるだけでソフトウェア・システムが構成されるサーボドライブ装置。
【発明の詳細な説明】
【０００１】
【発明の属する技術分野】
本発明はサーボドライブ装置に関する。
【０００２】
【従来の技術】
従来の複数基板で構成されたサーボドライブ装置は機種毎にソフトウェアやパラメータを持ち、ＣＰＵコアモジュール基板やその他の基板が共通であっても、複数基板を組み上げた後に機種毎のソフトウェア、またはパラメータ等をダウンロードさせていた。このため、サーボドライブ装置の機種の数だけソフトウェアやパラメータを用意・管理する必要があり、また基板を代えて異なる機能を付加させる度にソフトウェアやパラメータをダウンロードする必要があった。
【０００３】
【発明が解決しようとする課題】
複数基板で構成されたサーボドライブ装置であってもサーボドライブ装置の機種の数だけソフトウェアやパラメータを用意・管理せずに、また基板を代えて異なる機能を付加させる度にソフトウェアやパラメータをダウンロードしなくて済むようにする。
【０００４】
【課題を解決するための手段】
各基板毎に搭載された記憶装置に各基板固有のソフトウェア、またはパラメータを記憶させ、基板を組み合わせるだけでサーボドライブ装置のソフトウェア・システムを構成させる。
【０００５】
【発明の実施の形態】
図１は本発明によるサーボドライブ装置の一実施例であり、図２は従来のサーボドライブ装置の一実施例である。本発明を各図を参照して説明する。従来のサーボドライブ装置では、１：ＣＰＵコアモジュール基板、２：Ｉ／Ｆモジュール基板、３：ドライブモジュール基板から構成されており、１：ＣＰＵコアモジュール基板は４：記憶装置を搭載していて、各基板を組み合わせた後にサーボドライブ装置固有のソフトウェア、またはパラメータを４：記憶装置に記憶させていた。そのため、機能の異なる基板を組み合わせる度に、その機能に適したサーボドライブ装置のソフトウェア、およびパラメータを４：記憶装置に記憶させていた。本発明によるサーボドライブ装置の一実施例では、１：ＣＰＵコアモジュール基板、２：Ｉ／Ｆモジュール基板、３：ドライブモジュール基板から構成されており、２：Ｉ／Ｆモジュール基板と３：ドライブモジュール基板にはそれぞれ、４ａ，４ｂ：記憶装置が搭載されている。４ａには２：Ｉ／Ｆモジュール基板用のソフトウェア、またはパラメータが記憶されており、４ｂには３：ドライブモジュール基板用のソフトウェア、またはパラメータが記憶されている。２：Ｉ／Ｆモジュール基板と３：ドライブモジュール基板を１：ＣＰＵコアモジュール基板に電気的に接続すると、１：ＣＰＵコアモジュール基板に搭載されている処理装置が各基板に搭載されている４ａ，４ｂ：記憶装置に記憶されているソフトウェア、またはパラメータを１：ＣＰＵコアモジュール基板内の４：記憶装置にダウンロードしてソフトウェアシステムを構成するか、または各基板に搭載されている４ａ，４ｂ：記憶装置に記憶されているソフトウェア、またはパラメータを利用し、ソフトウェアシステムを構成する。これにより、各基板を組み合わせるだけで、ソフトウェアシステムを構成する機能を持たせる。
【０００６】
【発明の効果】
本発明によって、ハードウェア、及びソフトウェアに関して完全にモジュール分割する事ができ、基板を組み合わせるだけでサーボドライブ装置として機能させることができ、新たな機能を付加させる場合、基板を付け替えるだけで新機能の追加ができる。
【図面の簡単な説明】
【図１】本発明によるサーボドライブ装置のシステム構成
【図２】従来のサーボドライブ装置のシステム構成
【符号の説明】
１　ＣＰＵコアモジュール
２　Ｉ／Ｆモジュール
３　ドライブモジュール
４、４ａ、４ｂ　記憶装置
５　モータ
【図１】
2004078806.tif 000003
【図２】
2004078806.tif 000004
(57)【要約】【課題】収穫しようとする作物の場所を固定化させ、それに関する全ての情報（インターネット等の外部情報含む）を正確に把握し、履歴遡及を可能とする。固定化された場所と関連付けされた杭（３）を使って農薬散布方法の管理を自動化する。更には、システムを利用して農薬の均一散布及び農薬の使用履歴を把握をする。収穫した作物にそのデータを添付し流通化させる。【解決の手段】農地を固定化するために杭（３）を利用し区画して、固定番号を設定する。固定番号化された農地で生産される作物の状況（たとえば、育成日時や資材使用履歴や環境測定等）を固定地番号と作物データとして、データベース化する。また、農薬の均一撒布、農薬の散布量や時間を管理する為に、杭（３）を利用した農薬圧送装置を搭載し、動作等を自動的に監視することで、農薬散布管理の自動化および管理データを自動取得することを可能とさせる。更にインターネット等の外部情報サービスを利用して、固定地の位置情報から地域環境データを関連付けさせ、固定地の作物を生産する状況データとして、データべース化する。【選択図】図１
2004078856.tif 000002
【特許請求の範囲】
【請求項１】
農地を固有化する為に、番号、バーコード、色や信号等の区画に用いる機能を搭載した複数の杭（３）で区分けした農地に固有番号を持たせることを特徴とした農地管理支援システム。
【請求項２】
固有化された請求項１の地区で実施する農作業（農薬散布、種蒔き等）を履歴としてデータベース化することを有する農地管理支援システム。
【請求項３】
固有化された請求項１の地区に影響する地球上の環境（土、雨、風、温度、湿度等）をインターネット等の外部情報サービスを利用して関連付けする請求項１の農地管理支援システム。
【請求項４】
請求項１で表記の杭（３）は、機能としてその場所に於ける温度や湿度、雨量等の測定データを取り込む事が可能な請求項１の農地管理支援システム。
【請求項５】
請求項１で表記の杭（３）は、機能としてその地区で必要とされる農薬等を撒布するシステムを有する。具体的には、杭（３）にカートリッジ化された適正と判断された農薬を装填し、圧送を手段としたポンプ駆動することで散布することを特長とする請求項１の農地管理支援システム。
【請求項６】
前記請求項５のシステムは、複数の杭（３）をパイプ等で連結し、圧送された農薬が霧状になるようにパイプノズル又はパイプの穴から撒布される請求項１の農地管理支援システム。
【請求項７】
請求項１で表記の杭（３）は、分割及び脱着機能を有し、関連付けされたデータを杭（３）と共に農作物の識別ツールとして利用することができる。具体的な例として、たとえば農産物を出荷するとき、出荷日に杭（３）に装備されたバーコードデータや農地の固定番号が記入されたチップを農産物の関連データとして定義する機能を有するの請求項１の農地管理支援システム。
【発明の詳細な説明】
【０００１】
【発明の属する技術分野】
本発明は、農業用機具及び機器の開発、製造、販売に関するシステムである。
【０００２】
【従来の技術】
従来の農地管理は、収穫した作物の農作業履歴（例えば、農薬や農薬散布量等）が正確に把握できていなかった為に、残留農薬や偽造表示等の問題が発生していた。また均一な農薬散布が行われておらず、残留等の問題が発生していた。
【０００３】
【発明が解決しようとする課題】
本発明はこれらの問題を解決するために、収穫しようとする作物の場所を固定化させ、それに関る全ての情報をデータベース化し正確に把握するシステム。
【０００４】
さらには、固定化された場所と関連付けされた杭（３）を使って農薬散布方法の管理を自動化する。
【０００５】
前記の自動化された管理履歴は、農薬、農薬散布量、場所、時間、農作業者、対象作物や道具等の履歴をデータベース化する。
【０００６】
前記の自動化された農薬散布方法とは、農地を固定番号化する杭（３）を利用し、杭を連結させるパイプを使って、ノズルや穴を利用した圧送装置による農薬を均一化する方法である。
【０００７】
【発明が解決するための手段】
農地を固定化するために杭（３）を利用し区画して、固定番号を設定する。区画化された固定番号は生産計画（図２と図３）により作物が決定され、農薬等を含めた資材管理が対象作物と関連付けされ、正確な使用計画と使用履歴が管理可能となる。
【０００８】
計画された投入農薬や資材は、例えば法令等を加味した図５のようなマスターデーターとの比較照合により、適正化否かが判定される。これにより、自分が使用している農薬の種類や使用量等が適合しているかどうか把握できる。
【０００９】
温度や湿度等を測定する（例えば温度や湿度センサー等）機能を杭（３）に搭載させ、その履歴データを取得することで、その固定地の環境データとする。
【００１０】
更に固定地を識別するために杭（３）にバーコードや固有番号を記憶させたチップ等を搭載させ、固定地を自動認識できるようにする。具体的には、携帯端末や小型受信機等を利用し、固定地に農作業者が入った時に自動認識できるようにし、作業等の履歴を保存するためのツールとして利用する。
【００１１】
農薬の均一撒布、農薬の散布量や時間を管理する為に、杭（３）を利用した農薬圧送装置を搭載する。具体的には杭（３）に内蔵された農薬のカートリッジタンクと農薬を撒布するために杭と連結されたパイプをとおして、圧送ポンプが動作したときに、動作した時間、圧力、カートリッジ農薬残量をコードやチップを割り付ける。
【００１２】
割り付けられた番号は、データ化されサーバーに転送され、他のデータと関連付けられる。
【００１３】
転送された固定地番号から地域を認識し、インターネット等の外部情報サービスから地域環境データを関連付けさせる（例えば、平均気温、雨質、降雨量、土壌情報や地質情報等）。
【発明の効果】
【００１４】
固定地番号と作物の関連付けにより、作物の管理情報、作付計画、使用農薬履歴等が正確に把握できる。
【００１５】
更に農薬散布システムの導入により、均質な農薬の撒布の実現と適正な農薬の管理ができる。
【図面の簡単な説明】
【図１】農地固定番号の設定に関するイメージ図
【図２】作物生産計画概要
【図３】生産計画表
【図４】資材管理表
【図５】農薬マスターイメージ表（法令等のテーブルイメージ表含む）
【符号の説明】
１固定番号に関連付けされる地域
２個定番号化された農地
３杭（農地を区分けする杭）
【図１】
2004078856.tif 000003
【図２】
2004078856.tif 000004
【図３】
2004078856.tif 000005
【図４】
2004078856.tif 000006
【図５】
2004078856.tif 000007
(57)【要約】　　　（修正有）【課題】画像処理ソフトやＦＴＰなどの高度な利用技術を習得することなく、インターネットコンテンツの文字情報、画像情報更新を可能とする。【解決手段】イーメールを利用して取得した画像を、画像処理ソフトに渡し複数の画像フォーマットに変換させ、所定のＷＥＢサーバにアップロードする一連のプロセスを自動化するプログラムであり、画像処理をＷＥＢサーバではなく別端末で行うため、画像処理のための端末を増やすことで、簡単に画像処理を分散化することが可能である。【選択図】図１
2004078416.tif 000002
【特許請求の範囲】
【請求項１】
イーメールを利用して取得した画像を、画像処理ソフトに渡し複数の画像フォーマットに変換させ、所定のＷＥＢサーバにアップロードする一連のプロセスを自動化するプログラムであり、画像処理をＷＥＢサーバではなく別端末で行うため、画像処理のための端末を増やすことで、簡単に画像処理を分散化することが可能なシステムである。
【発明の詳細な説明】
【０００１】
【発明が属する技術分野】
本発明は、イーメールを利用して所定のアドレスに送るだけで、ウェブコンテンツの画像と文字を変更することができ、これを自動化してもサーバへの負荷は大きく増加させない方法に関するものである。
【０００２】
【従来の技術】
パーソナルコンピュータや各種携帯電話で閲覧可能なウェブコンテンツの画像と文字を変更する場合、画像処理ソフトを使用して各種対応フォーマットに変換し、ファイル転送プロトコル（以下ＦＴＰ）でインターネットに接続されたパソコンなどからアップロード操作を行うか、サーバ側に画像フォーマット変換プログラムを置き処理させる必要があった。
【０００３】
しかし、これを行うには画像処理ソフトの技術や、ＦＴＰなどの高度な利用技術を習得する必要があった。
【０００４】
また、サーバ側の変換プログラムでこれを処理すると、サーバに大きな負荷がかかりサーバの不安定を招く恐れがあった。
【０００５】
【発明が解決しようとする課題】
解決しようとする問題点は、画像処理ソフトやＦＴＰなどの高度な利用技術を習得しなければインターネットコンテンツの画像情報を更新できず、サーバ側の変換プログラムでこれを処理使用とするとサーバの不安定を招くことである。
【０００６】
【課題を解決するための手段】
本発明は、インターネットコンテンツの画像情報の変更が、画像が添付できるイーメール機能を搭載した端末で送るだけで可能であり、サーバにも変換のための負荷を与えないことを最も主要な特徴とする。
【０００７】
【実施例】
図１は、本発明の実施例のフローである。
【０００８】
【発明の実施の形態】
本システムへの登録ユーザーは、登録コンテンツの画像や文字を変更したい場合、携帯電話のカメラ機能（１）などで撮影した画像データと文字データ（３）を、イーメール機能（２）によりＩＤ、パスワードを付加して（４）のメールサーバに送信する。
【０００９】
メールサーバ（４）に送られてきた画像データは、自動処理端末（５）で自動取得し、画像処理ソフト（６）に渡され自動的に所定の画像フォーマットに変換され、文字データとともにウェブサーバ（７）にアップロードされ、インターネットを介して閲覧可能なコンテンツとして保存される。
【００１０】
【発明の効果】
以上説明したように本発明のシステムは、画像処理ソフトやＦＴＰなどの高度な利用技術を習得しなくても、カメラ機能付き携帯電話などがあれば、運用中のインターネットコンテンツの画像と文字情報を書き換えることができ、これを自動化してもサーバへの負荷は大きく増加しない。
【図面の簡単な説明】
【図１】本発明の実施例のフローである。
【符号の説明】
１　　携帯電話のカメラ機能
２　　インターネット接続可能な携帯電話
３　　インターネット接続可能な携帯電話
４　　メールサーバ
５　　自動処理端末
６　　画像処理ソフト
７　　ウェブサーバ
【図１】
2004078416.tif 000003
(57)【要約】【課題】弁座と弁ケーシングの底壁の間にスクリーンを確実に挟んで固定できる減圧弁を提供する。【解決手段】本体１と蓋２で弁ケーシングを形成し、本体１に入口５と出口６を形成し、入口５と出口６を連通する弁口８を開けた弁座７を本体１に取り付け、弁口８を開閉する弁体９を弁口８の下方に弁体ばね１９で閉弁方向に付勢して配置する。出口６側圧力と圧力設定ばね３の設定力との偏差に基づいて変位するベローズ４により操作棒１１を介して弁体９を駆動して弁口８を開閉する。弁体９と弁体ばね１９を囲って円筒状のスクリーン２０を配置する。スクリーン２０は、弁座７の下端面に形成した外方に向かって上方に拡がるテーパー面２１と、本体１の底壁に形成した段部２２の間に挟んで固定する。【選択図】　　　　　　図１
2004078422.tif 000002
【特許請求の範囲】
【請求項１】
弁ケーシングに入口と出口を形成し、入口と出口を連通する弁口を開けた弁座を弁ケーシングに取り付け、弁口を開閉する弁体を弁口の下方に弁体ばねで閉弁方向に付勢して配置し、出口側圧力と圧力設定部材の設定力との偏差に基づいて変位する圧力応動部材により弁体を駆動して弁口を開閉する減圧弁であって、弁体と弁体ばねを囲って円筒状のスクリーンを配置したものにおいて、弁座の下端面に外方に向かって上方に拡がるテーパー面を形成し、弁座のテーパー面と弁ケーシングの底壁の間にスクリーンを挟んで固定したことを特徴とする減圧弁。
【発明の詳細な説明】
【０００１】
【発明の属する技術分野】
本発明は蒸気や圧縮空気配管系に取り付けて、出口側圧力を入口側圧力よりも低い所望の設定圧力に維持する減圧弁に関する。
【０００２】
【従来の技術】
従来の減圧弁は例えば実開昭５８−２８３１２号公報に示されている。ここに示されたものは、弁ケーシングに入口と出口を形成し、入口と出口を連通する弁口を開けた弁座を弁ケーシングに取り付け、弁口を開閉する弁体を弁口の下方に弁体ばねで閉弁方向に付勢して配置し、出口側圧力と圧力設定部材の設定力との偏差に基づいて変位する圧力応動部材により弁体を駆動して弁口を開閉するものにおいて、弁体と弁体ばねを囲って円筒状のスクリーンを配置し、弁座と弁ケーシングの底壁の間にスクリーンを挟んで固定したものである。
【０００３】
【発明が解決しようとする課題】
上記従来の減圧弁においては、弁座と弁ケーシングの底壁との間の寸法に対してスクリーンが長い場合に、スクリーンを弁座と弁ケーシングの底壁の間にスクリーンを挟んで固定することができない問題点があった。
【０００４】
従って本発明の技術的課題は、弁座と弁ケーシングの底壁の間にスクリーンを確実に挟んで固定できる減圧弁を提供することである。
【０００５】
【課題を解決するための手段】
上記の技術的課題を解決するために講じた本発明の技術的手段は、弁ケーシングに入口と出口を形成し、入口と出口を連通する弁口を開けた弁座を弁ケーシングに取り付け、弁口を開閉する弁体を弁口の下方に弁体ばねで閉弁方向に付勢して配置し、出口側圧力と圧力設定部材の設定力との偏差に基づいて変位する圧力応動部材により弁体を駆動して弁口を開閉する減圧弁であって、弁体と弁体ばねを囲って円筒状のスクリーンを配置したものにおいて、弁座の下端面に外方に向かって上方に拡がるテーパー面を形成し、弁座のテーパー面と弁ケーシングの底壁の間にスクリーンを挟んで固定したことを特徴とする減圧弁にある。
【０００６】
【発明の実施の形態】
本発明は、弁座の下端面に外方に向かって上方に拡がるテーパー面を形成し、弁座のテーパー面と弁ケーシングの底壁の間にスクリーンを挟んで固定したものである。そのため、弁座と弁ケーシングの底壁との間の寸法に対してスクリーンが長い場合であっても、スクリーンの上端が弁座のテーパー面に沿って外方に拡がることにより、弁座と弁ケーシングの底壁の間にスクリーンを確実に挟んで固定することができる。
【０００７】
【実施例】
上記の技術的手段の具体例を示す実施例を説明する（図１参照）。
図１は本発明による減圧弁の実施例の断面図である。減圧弁の弁ケーシングは、本体１と本体１に締結した蓋２とから成る。本体１の上部と蓋２の間に圧力設定部材としてのコイル状の圧力設定ばね３と圧力応動部材としてのベローズ４を配置する。
【０００８】
本体１に入口５と出口６を形成し、入口５と出口６の間に弁座７を固定し、弁座７に形成した弁口８を通して入口５と出口６を連通する。弁口８の下方に弁口８を開閉する弁体９を配置する。弁体９の上面にほぼ円錐状の凹面１０を形成する。弁体９の上方に操作棒１１を配置する。操作棒１１の下端面にほぼ半球状の凸面１２を形成する。弁体９の円錐状の凹面１０に操作棒１１の半球状の凸面１２を当接させる。操作棒１１の上端は下部ばね受け１３の収容孔１４に収容する。操作棒１１の上部はスナップリング１５で本体１に固定した案内部材１６の案内孔１７で上下に摺動自在に案内する。案内部材１６に出口６側圧力を導入する連通孔１８を形成する。
【０００９】
弁体９と本体１の底壁の間に弁体９を閉弁方向に付勢するコイル状の弁体ばね１９を配置する。弁体９と弁体ばね１９を囲って円筒状のスクリーン２０を配置する。スクリーン２０は、弁座７の下端面に形成した外方に向かって上方に拡がるテーパー面２１と、本体１の底壁に形成した段部２２の間に挟んで固定する。
【００１０】
蓋２の天井壁に調節ねじ２３を取り付け、ロックナット２４で回り止めをする。調節ねじ２３の下部に抜け出し防止用のスナップリング２５を取り付ける。調節ねじ２３の内端は球体２６と上部ばね受け２７を介して圧力設定ばね３の上端に接する。圧力設定ばね３の下端は下部ばね受け１３の上端に接する。ベローズ４の上端は蓋２と本体１の間に固定したリング状の取付部材２８に固定し、下端は下部ばね受け１３の外周に固定して閉塞する。
【００１１】
次に上記実施例の作用を説明する。出口６側の圧力が設定圧力よりも低下すると、ベローズ４は圧力設定ばね３のばね力により収縮し、弁体ばね１９のばね力に抗して操作棒１１を介して弁体９を下方に変位させて弁口８を開口する。弁口８の開口により入口５側の高圧の流体が出口６側に供給され、出口６側の圧力が回復する。出口６側の圧力が所望値まで回復すると、ベローズ４は伸張して元の位置に戻り、弁体９は弁体ばね１９のばね力により弁口８を閉口する。
【００１２】
【発明の効果】
本発明は、弁座の下端面に外方に向かって上方に拡がるテーパー面を形成したものであるので、入口から弁座と弁体との間に向かう流体の流路が拡がり、流量が多くなるという優れた効果を生じる。
【図面の簡単な説明】
【図１】本発明による減圧弁の実施例の断面図である。
【符号の説明】
１　　本体
２　　蓋
３　　圧力設定ばね
４　　ベローズ
５　　入口
６　　出口
７　　弁座
８　　弁口
９　　弁体
１９　　弁体ばね
２０　　スクリーン
２１　　テーパー面
２２　　段部
【図１】
2004078422.tif 000003